【事件の表示】
　特願２００１−　３９８５９「滅菌剤を取り入れた多孔構造体を具備する収容且つ供給装置」拒絶査定不服審判事件〔平成１３年１１月１３日出願公開、特開２００１−３１５８６０〕について、次のとおり審決する。
【結　論】
　本件審判の請求は、成り立たない。
【理　由】
 １　手続の経緯・本願発明 
　本願は、２００１年（平成１３年）２月１６日（パリ条約による優先権主張２０００年２月１６日、フランス）を出願日とする出願であって、平成１６年１０月１４日付けで拒絶査定がなされ、これに対し、平成１７年１月１７日に拒絶査定に対する審判請求がなされるとともに、平成１７年２月１６日に手続補正がなされたものである。 　  
　そして、当審において、当該平成１７年２月１６日付け手続補正書は、平成１９年９月１２日付け補正の却下の決定により却下されるとともに、同日付で拒絶理由が通知され、これに対して平成２０年３月１９日に意見書及び手続補正書が提出されたものである。　　
　本願の請求項１〜１２に係る発明は、平成２０年３月１９日付けの手続補正書により補正された明細書の特許請求の範囲の請求項１〜１２に記載された事項により特定されるものと認められるところ、請求項１は次のとおり記載されている。　　
 　  
 「【請求項１】化粧品物質を収容及び供給することに適した容器と、シール手段で容器を閉じる閉キャップと、物質を供給するため発泡体から成る多孔構造体（１４；２６；３５；５２；６３；７２）とを備え、化粧品を収容且つ供給する収容且つ供給装置（１；２０；３０；５０；６０；７０）において、　　
多孔構造体の製造プロセス中に、少なくと一つの滅菌剤が、多孔構造体に取り入れられること、閉キャップを配置して多孔構造体が乾き切るのを防ぐこと、多孔構造体がポリエステルまたはポリエーテルより選択された少なくとも一つの材料から作られた発泡体であることを特徴とする装置。」（以下請求項１に係る発明を「本願発明１」という。）　  
 　  
２　引用例
　（２−１）これに対して，当審における，平成１９年９月１２日付けで通知した拒絶の理由に引用した特開平９−２２０１１７号公報（以下、「引用例１」という。）には、以下の記載がある。　　　  
 （ａ）「【請求項１】 パウダー状もしくは半液状の製品（８）用の、軸（Ｘ）を有する容器（１）であって、硬質の本体、及び前記本体と共に前記製品（８）を収容する少なくとも一の体積可変の区画を構成する可撓性底面（４）及び前記可撓性底面に加圧した際に製品が通過することのできる少なくとも一のスクリーン（９）を具備し、前記スクリーンが、容器の軸Ｘに沿った動作に対しては固定された状態で容器内部に配設されていることを特徴とする容器。」　  
 　　  
 （ｂ）「【請求項１３】 アプリケータ部材（１２）を具備することを特徴とする請求項１から１２のいずれか一項に記載の容器。　  
 【請求項１４】 アプリケータ部材が、殺菌剤及び滑剤より選択される少なくとも一の添加剤によって被覆及び／または浸透されていることを特徴とする請求項１３に記載の容器。　  
 【請求項３２】 アプリケータ部材が毛房、羽、フロックコート（１２ａ）もしくはフォームを具備することを特徴とする請求項１３から３１のいずれか一項に記載の容器。　  
 【請求項３４】 アプリケータ部材がパフ（９）（パフ（１２）の誤記）であることを特徴とする請求項１３から３３のいずれか一項に記載の容器。」　  
 （ｃ）「【請求項２５】 本体（５）上に回動自在にフタ（２）が設置されていることを特徴とする請求項１から２４のいずれか一項に記載の容器。」　  　  
 （ｄ）「【０００１】　  
 【発明の属する技術分野】本発明はパウダー状もしくは半液状製品の実装及び分配のための容器に関する。この製品とは、特に、皮膚もしくは頭髪のための手入れもしくはメイクアップ製品のためのパウダー、特にパウダー、チークブラッシャーもしくはアイシャドウ、もしくはさらにメイクアップファンデーションである。」　  
 　  
 （ｅ）「【００２３】予測される適用によって、特に、製品の性質によって、製品の取り出しは使用者の指で行われてもよいが、パフもしくはブラシ等のアプリケータ部材で行われるとさらによい。さらにまた、アプリケータ部材は、各網目に入った製品を、可能な限りうまく取り出すことができるようにスクリーンの網目の形状に適合することができる変形可能な材料で構成するとよい。特に、アプリケータ部材が、製品の取り出しを促進するような長さ及び密度の毛房を有するとよい。毛房の代わりに、アプリケータ部材にフォームの性質をもたせることのできる羽、フロック表面もしくは小孔を有するものでもよい。　  
 【００２４】最後に、アプリケータ部材に、殺菌剤及び滑剤より選択される少なくとも一の添加剤が被覆されている及び／または浸透しているとよい。滑剤が存在すると、皮膚上の製品の延びが促進されるという作用がある。殺菌剤が存在すると、常時皮膚と接触しているので、アプリケータ部材内での細菌のコロニーの形成を回避できる。」　  
 　  
 （ｆ）「【００２８】更に容器の密閉性を向上させるために、この容器はフタを備えている。更にまた、フタとカバーとの間に密閉手段が与えられてもよい。この場合には、アプリケータ部材が密閉手段を構成してもよい。　   　  
 （ｇ）「【００３７】　  
 【発明の実施の形態】ここに、本発明を、非限定的に添付の図面を参照してさらに詳しく説明する。図１には、参照番号１をつけたメイクアップ容器が示され、これはＩ−Ｉ’線での断面が楕円形のものである。この容器には本体５に固定フィルムヒンジ６によって軸固定されたフタ２がある。本体及びフタは硬質のプラスチック材料製である。留め金２ｃによって、確実に容器の本体にフタが閉じられる。　  
   
 　　　  
 　以上の記載及び第１−５図によれば、引用例１には、次の発明が記載されているものと認められる。　　　  
 　  
 「パウダー状もしくは半液状製品（８）を収容することに適した本体（５）と、容器の密閉性を向上させるために本体を閉じるフタ（２）と、殺菌剤よりなる添加剤が浸透し、フォームを具備し、製品（８）を供給するためのパフ（１２）とを備えたメイクアップ容器（１）。」（以下、「引用発明１」という）　　  
 　  
 （２−２）特開平２−３５９６４号公報（以下、「引用例２」という。）には、以下の記載がある。　　　  
 （ｈ）「【特許請求の範囲】　  
 ２、塗布具母材が発泡体からなり、機能性処理剤を内包した粉粒体が前記発泡体の骨格内部に入っていることを特徴とする化粧用塗布具。　  
 ４、粉粒体がマイクロカプセルであることを特徴とする請求項１又は２記載の化粧用塗布具。　  
 ５、粉粒体が機能性処理剤を内包した多孔質粉粒体をマイクロカプセル化したものであることを特徴とする請求項１又は２記載の化粧用塗布具。　  
 ８、機能性処理剤が防汚性、洗浄性、脱汚性、浸透性、柔軟性、平滑性、吸水性、保水性、吸油性、撥水性、撥油性、殺菌性、防黴性、老化防止性、耐光性および脱臭性の機能のうち、少なくとも１つの機能を有する薬品であることを特徴とする請求項１から７までの何れか１項記載の化粧用塗布具。　  
 １３、機能性処理剤をマイクロカプセル化し、該機能性処理剤を内包したマイクロカプセルを発泡体原料に混入した後、前記混合体を発泡処理して発泡体を形成することを特徴とする化粧用塗布具の製造方法。」　  
 　  
 （ｉ）第２頁右上欄第１４行〜第１７行　　  
 「〔産業上の利用分野〕　  
 本発明は化粧用塗布具、特にメイクアップ化粧料の塗布具、およびその製造方法に関するものである。」　  
 　  
 （ｊ）第３頁左下欄第２行〜第１３行　　  
 「前記発泡体の製造方法については、・・・前記マイクロカプセルを発泡体原料に混入した後、この混合体を発泡処理して発泡体を形成するものである。」　  
 　  
 （ｋ）第４頁右上欄第４行〜第１０行　　  
 「本発明における塗布具本体としては、従来から化粧用塗布具に使用されている発泡体、例えば、ポリウレタン、ポリエチレン、ポリプロピレン等の合成樹脂発泡体、ＮＢＲ（アクリロニトリルブタジェンゴム）　、ＳＢＲ（スチレンブタジェンゴム）　、ＮＲ（天然ゴム）、シリコーンゴム等のゴム発泡体を使用できる。」　  
 　  
 （ｌ）第４頁右下欄第８行〜第１０行　　  
 「殺菌剤としては、塩化ベンザルコニウム、クロルヘキシジングルコネート、カチオン系殺菌剤等が用いられる。」　  
 　  
 以上の記載によれば、引用例２には、以下の点が記載されているものと認められる。　 　
 　  
 「発泡体から成る多孔構造体の製造プロセス中に、殺菌剤が、多孔構造体に取り入れられ、多孔構造体が合成樹脂材料から作られた発泡体。」　  
  
　
　 
３　対比　　
 　  
 　引用発明１における、「パウダー状もしくは半液状製品（８）」「本体（５）」「フタ（２）」「殺菌剤」「メイクアップ容器（１）」は、それぞれ、本願発明１における「化粧品物質」「容器」「 閉キャップ」「滅菌剤」「化粧品を収容且つ供給する収容且つ供給装置」に相当する。　  
 　  
 　そして、引用発明１の「パフ（１２）」は、 上記（ｂ）及び（ｅ）に摘示した記載から、フォームである。  
 　また、引用発明１の「フタ（２）」は、上記（ｃ）及び（ｆ）に摘示した記載から、容器の密閉性を向上させるために設けられており、引用発明１の「フタ（２）」によって、「パフ（１２）」が乾き切るのを防ぐことができるものであることは明らかである。　  
 　  
 　そこで、本願発明１と引用発明１を対比すると、両者は、 　 　　　　  
 　  
 「化粧品物質を収容及び供給することに適した容器と、シール手段で容器を閉じる閉キャップと、物質を供給するため発泡体から成る多孔構造体とを備え、化粧品を収容且つ供給する収容且つ供給装置において、少なくと一つの滅菌剤が、多孔構造体に取り入れられること、閉キャップを配置して多孔構造体が乾き切るのを防ぐこと、多孔構造体が発泡体である装置。」　  
 　  
 である点で一致し、以下の点で相違する。 　 　　　　  
 　　  
・相違点１　 　　　  
 　本願発明１では、多孔構造体の製造プロセス中に、滅菌剤が、多孔構造体に取り入れられているのに対し、引用発明１では、滅菌剤を多孔構造体に取り入れる時期が、多孔構造体の製造プロセス中かどうか不明な点。　
 　　  
・相違点２　　
　本願発明１では、多孔構造体がポリエステルまたはポリエーテルより選択された少なくとも一つの材料から作られた発泡体であるのに対し、引用発明１では、多孔構造体の合成樹脂材料について明記がない点。　
　　
４　当審の判断　　
・相違点１について　　
　引用発明１には、滅菌剤を多孔構造体に取り入れる時期については、明記がない。　
　しかし、発泡体から成る多孔構造体の製造プロセス中に抗菌剤等の機能性処理剤を多孔構造体に取り入れられる点は、化粧用塗布具として本願発明技術分野を同一にする引用例２の（ｈ）及び（ｊ）で記載されているように、公知の事項である。　
　よって、引用発明１の多孔構造体を製造する際に、その製造プロセス中に滅菌剤を多孔構造体に取り入れることは、当業者にとって容易である。　　
　
・相違点２について　　
　化粧品物質を塗布するための塗布具に用いる多孔構造体の材料として、ポリエステル及びポリエーテルは従来周知の材料に過ぎず（特開平１１−３０９０１２号公報【０００８】等参照）、当該周知の材料を選択することに、格別の効果・技術的困難性は認められない。　
　　  
　　
５　むすび　　
　したがって，本願発明１は，それぞれ引用発明１及び２に記載された発明及び周知技術に基づいて，当業者が容易に発明をすることができたものであるから，特許法２９条２項の規定により特許を受けることができない。　　
　それゆえ、本願は他の請求項について検討するまでもなく拒絶されるべきものである。　
　よって、結論のとおり審決する。